(57)【要約】【課題】ユーザに煩雑な動作を行わせることなく、プロジェクタで映像を投影できる環境を準備できる、画像投影装置、画像投影方法、及びプログラムを提供する。【解決手段】ネットワークを介して一以上の装置と通信する画像投影装置が、前記一以上の装置の状態の変化、又は環境の変化を検知する検知手段と、検知された前記一以上の装置の状態の変化、又は環境の変化に基づいて、前記一以上の装置のうちの一部の装置の各々に応じた動作指示を生成する動作指示生成手段と、生成された動作指示を前記一部の装置の各々に送信する動作指示送信手段とを有する。【選択図】図３
2016032205.tif 000002
【特許請求の範囲】
【請求項１】
ネットワークを介して一以上の装置と通信する画像投影装置であって、
前記一以上の装置の状態の変化、又は環境の変化を検知する検知手段と、
検知された前記一以上の装置の状態の変化、又は環境の変化に基づいて、前記一以上の装置のうちの一部の装置の各々に応じた動作指示を生成する動作指示生成手段と、
生成された動作指示を前記一部の装置の各々に送信する動作指示送信手段と
を有する、画像投影装置。
【請求項２】
前記一以上の装置から受信した状態に関する情報から前記一以上の装置の状態の変化を検知する、請求項１記載の画像投影装置。
【請求項３】
前記検知手段は、照度の計測結果から環境の変化を検知する、請求項１記載の画像投影装置。
【請求項４】
前記検知手段は、人が存在するか否かの検知結果から、環境の変化を検知する、請求項１記載の画像投影装置。
【請求項５】
前記一以上の装置に対する動作指示の生成に関する設定情報を保持する保持手段を更に有し、
前記動作指示生成手段は、前記設定情報に基づいて、前記一以上の装置に対して前記動作指示を生成する、請求項１乃至４いずれか一項に記載の画像投影装置。
【請求項６】
ネットワークを介して一以上の装置と通信する画像投影方法であって、
前記一以上の装置の状態の変化、又は環境の変化を検知する手順と、
検知された前記一以上の装置の状態の変化、又は環境の変化に基づいて、前記一以上の装置のうちの一部の装置の各々に応じた動作指示を生成する手順と、
生成された動作指示を前記一部の装置の各々に送信する手順と
を有する、画像投影方法。
【請求項７】
ネットワークを介して一以上の装置と通信するプログラムであって、
コンピュータに、
前記一以上の装置の状態の変化、又は環境の変化を検知するステップと、
検知された前記一以上の装置の状態の変化、又は環境の変化に基づいて、前記一以上の装置のうちの一部の装置の各々に応じた動作指示を生成するステップと、
生成された動作指示を前記一部の装置の各々に送信するステップと
をコンピュータに実行させるためのプログラム。
【発明の詳細な説明】
【技術分野】
【０００１】
本発明は、画像投影装置、画像投影方法、及びプログラムに関する。
【背景技術】
【０００２】
オフィスでの会議やプレゼンテーションにおいて、プロジェクタは、資料を投影するために用いられる。また、前述した用途以外にも、プロジェクタは、静止画、動画などを鑑賞するために用いられる。
【０００３】
従来技術では、プロジェクタとスクリーンとが連携して動作させる技術が既に知られている（例えば、特許文献１などを参照）。
【発明の概要】
【発明が解決しようとする課題】
【０００４】
上述した従来技術では、ユーザの手を煩わせることなく、スクリーンの動作を制御できる。しかしながら、プロジェクタで映像を出力するために、ユーザが照明装置の消灯、ブラインドで光を遮光するなどの煩雑な動作を行わなければならないという問題があった。
【０００５】
本発明は、上記の従来の問題点に鑑み提案されたものであり、その目的とするところは、ユーザに煩雑な動作を行わせることなく、プロジェクタで映像を投影できる環境を準備できる、画像投影装置、画像投影方法、及びプログラムを提供することにある。
【課題を解決するための手段】
【０００６】
上記目的を達成するため、例えば、ネットワークを介して一以上の装置と通信する画像投影装置が、前記一以上の装置の状態の変化、又は環境の変化を検知する検知手段と、検知された前記一以上の装置の状態の変化、又は環境の変化に基づいて、前記一以上の装置のうちの一部の装置の各々に応じた動作指示を生成する動作指示生成手段と、生成された動作指示を前記一部の装置の各々に送信する動作指示送信手段とを有する。
【発明の効果】
【０００７】
本発明の一側面にあっては、ユーザが煩雑な動作が行うことなく、プロジェクタを利用できる環境を整えることができる。
【図面の簡単な説明】
【０００８】
【図１】実施例１における画像投影システムの構成例を示す図ある。
【図２】プロジェクタのハードウエア構成例を示す図である。
【図３】画像投影システムの機能構成例を示す図である。
【図４】連携機能の設定画面のイメージ図である。
【図５】照明スイッチがオンされてから、映像を投影可能な状態になるまでの流れを示すシーケンス図である。
【図６】照明スイッチがオフにされた場合の各装置の動作の流れを示すシーケンス図である。
【図７】プロジェクタ２の電力状態を投影可能な状態から省エネ効果が低い状態に切り替えた場合における、各装置の動作の流れを示すシーケンス図である。
【図８】照明スイッチがオンされた場合における、プロジェクタの電力状態の移行の流れを示すシーケンス図である。
【図９】プロジェクタが投影可能状態へ移行した場合における、プロジェクタによる各装置への動作指示の生成、送信の流れを示すシーケンス図である。
【図１０】照明スイッチがオフされた場合における、プロジェクタによる各装置への動作指示の生成、送信の流れを示すシーケンス図である。
【図１１】プロジェクタと連携して動作する装置において、指示にしたがって各装置の状態を移行させる流れを示すシーケンス図である。
【図１２】照明スイッチが連携して動作する各装置へ移行指示を送信する流れを示すシーケンス図である。
【図１３】照明スイッチにおける、動作指示を送信する処理の手順例を示すフローチャートである。
【図１４】プロジェクタにおける、動作指示を送信する処理の手順例を示すフローチャートである。
【図１５】プロジェクタにおける、連携して動作する各装置に動作指示を送信する処理の手順例を示すフローチャートである。
【図１６】実施例２における画像投影システムの機能構成例を示す図である。
【図１７】プロジェクタにおける、照度の測定結果に応じて照明装置への動作指示を送信する処理の手順例を示すフローチャートである。
【図１８】実施例３における画像投影システムの機能構成例を示す図である。
【図１９】プロジェクタにおける、格納式スクリーン５から受信した照度の測定結果に応じて、照明装置への動作指示を送信する処理の手順例を示すフローチャートである。
【図２０】実施例４における画像投影システムの機能構成例を示す図である。
【図２１】人感センサが人を検知した場合における、各装置が映像を投影可能な状態へ移行する流れを示すシーケンス図である。
【図２２】人感センサが人の不在を検知した場合における、各装置の動作の流れを示すシーケンス図である。
【発明を実施するための形態】
【０００９】
以下、本発明の好適な実施形態について説明する。
【００１０】
［実施例１］
＜システム構成＞
図１は、実施例１における画像投影システム１のシステム構成例を示す図である。画像投影システム１において、プロジェクタ２、照明スイッチ３、照明装置４、格納式スクリーン５、及びブラインド６のそれぞれが、ネットワークを介して接続される。
【００１１】
プロジェクタ２は、入力された映像などをスクリーンに表示する。プロジェクタ２は、連携して動作する他の装置に対して、動作指示を送信する。連携して動作する他の装置は、照明スイッチ３、照明装置４、格納式スクリーン５などである。
【００１２】
照明スイッチ３は、照明装置４に対して点灯と消灯の切り替えを指示する。また、照明スイッチ３は、無線を介して、プロジェクタ２の電力状態の切り替えを指示する。
【００１３】
照明装置４は、無線通信機能を備え、プロジェクタ２からの指示にしたがって、照明の点灯、消灯を切り替える。
【００１４】
格納式スクリーン５は、スクリーンを収納可能な装置である。格納式スクリーン５は、無線機能を備え、プロジェクタ２などからの指示にしたがって、スクリーンの引出しと収納を行う。
【００１５】
ブラインド６は、光を遮光するための装置である。ブラインド６は、無線通信機能を備え、プロジェクタ２などの指示にしたがって、取り入れる光の量を調整することができる。ブラインド６は、ブランドに限定されず、光を遮光するカーテンなどでもよい。
【００１６】
なお、画像投影システム１におけるすべての装置は、互いの装置と無線通信を行う無線通信機能を備える。
【００１７】
なお、画像投影システム１の構成要素は、実施例１で示した構成要素に限定されず、その他の装置を含んでもよい。
【００１８】
＜ハードウエア構成＞
図２は本実施形態におけるプロジェクタ２のハードウエアの構成例を示す図である。
【００１９】
プロジェクタ２は、バスＢで相互に接続されているＲＡＭ２０１、ＣＰＵ２０２、フラッシュメモリ２０３、通信Ｉ／Ｆ２０４、ＥＥＰＲＯＭ（Electrically Erasable Programmable Read-Only Memory）２０５、操作部２０６、映像入力部２０７、映像出力部２０８、ランプ２０９を有する。
【００２０】
ＲＡＭ２０１は、ＣＰＵ２０２によるプログラムの実行のため、一時的に読み出したプログラムやデータを記憶するために用いられる。ＣＰＵ２０２は、プログラムを実行させ、装置全体を制御するために用いられる。フラッシュメモリ２０３、ＥＥＰＲＯＭ２０５は、画像データ又は音声データなどの各種データを記憶するために用いられる。
【００２１】
通信Ｉ／Ｆ２０４は、データ伝送路やネットワークを介してコンテンツの送受信を行うために用いられる。操作部２０６は、ユーザからの操作を受けつけ、画像の明るさ調整、音量調整などの操作を行うために用いられる。
【００２２】
映像入力部２０７は、通信Ｉ／Ｆ２０４を介して装置からコンテンツの入力を受けつけるために用いられる。映像出力部２０８は、例えば、液晶表示装置であり、映像入力部２０７から受けつけた画像データを出力するために用いられる。ランプ２０９は、例えば、ハロゲンランプであり、発光し、投影レンズ（図示せず）を介して画像データをスクリーンなどの投影面に投影するために用いられる。
【００２３】
＜機能構成＞
画像投影システムの機能構成を各構成要素ごとに説明する。
【００２４】
図３は実施例１における画像投影システムの機能構成例を示す図である。
【００２５】
≪プロジェクタ≫
プロジェクタ２は、通信制御部２１、指示情報制御部２２、動作制御部２３、設定保持部２４、及び状態情報保持部２５を有する。
【００２６】
通信制御部２１は、プロジェクタ２と連携して動作する他の装置との通信を制御する。他の装置との通信は、例えば、無線ＬＡＮ（Local Area Network）、ＬＴＥ（Long Term Evolution）、ＺｉｇＢｅｅ（登録商標）、Ｂｌｕｅｔｏｏｔｈ（登録商標）などの通信方式を用いて行われる。
【００２７】
指示情報制御部２２は、動作制御部２３の要求にしたがって、連携して動作する他の装置に応じた動作指示を生成する。例えば、照明装置の状態を投影可能な状態へ移行させる動作指示の生成が動作制御部２３から要求された場合、指示情報制御部２２は、照明装置４にスクリーン側の照明の消灯を指示する動作指示を、生成する。
【００２８】
指示情報制御部２２は、検知手段としても機能し、第１の装置から第２の装置への動作指示などから第２の装置の状態の変化を検知する。例えば、プロジェクタ２の電力状態を省エネモード効果が低い状態へ切り替える動作指示を照明スイッチ３から受信した場合、指示情報制御部２２は、照明スイッチがオンされたことを検知する。指示情報制御部２２は、検知した第２の装置の状態の変化を動作制御部２３へ通知する。指示情報制御部２２は、例えば、第１の装置からの動作指示の内容と、連携して動作する第２の装置の状態とを対応させた対応表を保持する。指示情報制御部２２は、その対応表に基づいて、連携して動作する第２の装置の状態の変化を検知する。
【００２９】
指示情報制御部２２は、他の装置からプロジェクタ２に対する動作指示を受信した場合、受信した動作指示を動作制御部２３が実行可能な形式に変換し、動作の実行を動作制御部２３に指示する。
【００３０】
動作制御部２３は、設定保持部２４から取得したプロジェクタ２の連携機能の設定情報にしたがって、プロジェクタ２の動作を制御する。例えば、動作制御部２３は、照明スイッチなどからプロジェクタ２の電力状態の切り替えの動作指示があった場合、動作指示にしたがって、電力状態の切り替えを行う。プロジェクタ２は、省エネ効果が高い状態、省エネ効果が低い状態、投影可能な状態、電源がオフされた状態など複数の電力状態を有する。省エネ効果が高い状態は、プロジェクタ２の機能の動作を制限した状態である。省エネ効果が高い状態は、プロジェクタを起動するまでにかかる時間は長いが、消費電力がプロジェクタ２の中で一番低い状態である。省エネ効果が低い状態とは、プロジェクタ２の機能をより活性化させた状態である。省エネ効果が低い状態とは、プロジェクタを起動するまでにかかる時間は短いが、省エネ効果が低い状態よりも消費電力が、高い状態である。投影可能状態では、プロジェクタ２が映像をスクリーンなどに投影できる状態である。
【００３１】
動作制御部２３は、指示情報制御部２２が検知した第１の装置の状態の変化に基づいて、第２の装置の動作を決定する。例えば、照明スイッチがオンになったことを検知すると、動作制御部２３は、格納式スクリーン５、ブラインド６など各々の装置に対して投影可能な状態への移行を指示する動作指示の生成を指示情報制御部２２に要求し得る。
【００３２】
また、動作制御部２３は、プロジェクタ２の動作状態に応じて、連携して動作する各装置への動作指示の生成を指示情報制御部２２に要求する。動作指示の生成は、設定保持部２４に保持されている各装置の設定にしたがって行われる。例えば、プロジェクタ２の電力状態が投影可能な状態に切り替わった場合、動作制御部２３は、投影可能な状態に各装置を移行させる動作指示の生成を指示情報制御部２２に要求することができる。
【００３３】
設定保持部２４は、他の装置との連携機能に関する情報を管理している。
【００３４】
図４は、本実施形態における設定保持部２４が保持する他の装置との連携機能に関する情報の設定画面のイメージ図である。
【００３５】
表示画面Ｇ１において、プロジェクタ２及びプロジェクタ２と連携して動作する他の装置の連携機能の設定が行われる。
【００３６】
表示画面Ｇ２において、プロジェクタ２を他の装置と連携させて動作させるか否かの情報が設定される。例えば、「無効」と設定されている場合、プロジェクタ２は、他の装置と連携する動作は行わない。
【００３７】
表示画面Ｇ３において、プロジェクタ２と連携して動作する各装置の連携機能に関する設定が行われる。
【００３８】
表示画面Ｇ４において、照明装置４、格納式スクリーン５、ブラインド６などの各装置をプロジェクタ２と連携させるか否かが設定される。
【００３９】
表示画面Ｇ５において、照明スイッチ３によるプロジェクタ２への動作指示が設定される。具体的には、「全装置を投影可能な状態へ移行」が選択されている場合、照明スイッチ３は、プロジェクタ２に対して電力状態を投影可能状態へ移行するよう指示し、例えば、照明装置４に対してスクリーン側の照明以外の点灯及びスクリーン側の照明の消灯を指示する。また、照明スイッチ３は、格納式スクリーン５、ブラインド６に対して、投影可能状態への移行を指示する。
【００４０】
図３に戻り、設定保持部２４は、プロジェクタ２又は他の装置の連携機能の設定が変更された場合、連携機能の設定の変更を、連携して動作する各装置に通知する。すなわち、連携機能の設定は、プロジェクタ２と連携して動作する装置とで共有される。
【００４１】
また、設定保持部２４は、ＭＡＣアドレス、ＩＰアドレスなど、連携して動作する装置の識別情報を保持している。設定保持部２４は、識別情報にしたがって、連携して動作する装置を特定する。
【００４２】
状態情報保持部２５は、プロジェクタ２の状態及び連携する他の装置の状態に関する情報を管理する。他の装置の状態に関する情報は、例えば、格納式スクリーン５におけるスクリーンの状態である。
【００４３】
状態情報保持部２５は、他の装置から、その装置の状態の変更が通知された場合、該当する装置の状態に関する情報を更新する。
【００４４】
≪照明スイッチ≫
照明スイッチ３は、通信制御部３１、指示情報制御部３２、及び設定保持部３３を有する。
【００４５】
通信制御部３１は、連動して動作する各装置との通信を制御する。
【００４６】
指示情報制御部３２は、連動して動作する各装置への動作指示を生成する。指示情報制御部３２による動作指示の生成は、設定保持部３３に保持されている設定情報に基づいて、行われる。例えば、プロジェクタ２の電力状態を投影可能状態へ移行するよう要求する設定がされている場合、指示情報制御部３２は、プロジェクタ２に対する投影可能な状態への移行指示に加え、他の装置に対しても投影可能な状態へ移行を指示する動作指示を生成する。
【００４７】
設定保持部３３は、図４で示した連携機能の設定情報を管理する。設定保持部３３は、プロジェクタ２から連携機能の設定情報の変更が通知された場合、連携機能の設定を更新してもよい。
【００４８】
なお、照明スイッチ３は、指示情報制御部３２及び設定保持部３３を有していなくてもよい。
【００４９】
≪照明装置≫
照明装置４は、通信制御部４１、指示情報制御部４２、動作制御部４３、設定保持部４４、及び状態情報保持部４５を有する。
【００５０】
通信制御部４１は、連動して動作する各装置との通信を制御する。
【００５１】
指示情報制御部４２は、例えば、プロジェクタ２から受信した動作指示にしたがって照明装置の動作を制御するよう動作制御部４３に指示する。
【００５２】
動作制御部４３は、受信した動作指示に基づいて、自装置の動作を制御する。例えば、プロジェクタ２又は照明スイッチ３から照明の点灯を指示する動作指示が受信された場合、照明装置４は照明を点灯させる。また、動作制御部４３は、設定保持部４４に保持されている連携機能の設定の内容に基づいて、動作指示に従って動作させるか否かを判断する。なお、照明装置４は、連携機能の設定の内容に関わらず、照明スイッチ３から指示された動作を実行してもよい。
【００５３】
設定保持部４４は、連携機能に関する情報を管理する。設定保持部４４は、プロジェクタ２から連携機能に関する設定情報の変更を受信した場合、連携機能の設定情報を更新する。
【００５４】
状態情報保持部４５は、自装置の状態を保持する。照明装置４の状態とは、照明が点灯しているか否かの状態である。また、状態情報保持部４５は、例えば、プロジェクタ２から動作指示を受信した時点での照明装置４の状態を保持する。
【００５５】
≪格納式スクリーン≫
格納式スクリーン５は、通信制御部５１、指示情報制御部５２、動作制御部５３、設定保持部５４、及び状態情報保持部５５を有する。
【００５６】
通信制御部５１は、連動して動作する各装置との通信を制御する。
【００５７】
指示情報制御部５２は、例えば、プロジェクタ２から受信した動作指示にしたがって、格納式スクリーン５の動作を制御するよう動作制御部５３に指示する。
【００５８】
動作制御部５３は、受信した動作指示に基づいて、自装置の動作を制御する。例えば、投影可能状態への移行をプロジェクタ２から指示された場合、格納式スクリーン５は、収納されているスクリーンを引き出す動作を実行する。また、動作制御部５３は、設定保持部５４に保持されている連携機能の設定に基づいて、動作指示に従って動作するか否かを判断する。
【００５９】
設定保持部５４は、連携機能に関する情報を管理する。設定保持部５４は、連携機能に関する設定を変更した場合、連携して動作する各装置に対して連携機能に関する設定の変更を通知する。また、設定保持部５４は、他の装置から連携機能に関する設定情報の変更を受信した場合、連携機能の設定情報を更新する。
【００６０】
状態情報保持部５５は、自装置の状態を保持する。例えば、格納式スクリーンの状態とは、例えば、スクリーンが格納されているか否かの状態である。また、状態情報保持部５５は、例えば、プロジェクタ２から動作指示を受信した時点での格納式スクリーン５の状態を保持する。
【００６１】
≪ブラインド≫
ブラインド６は、通信制御部６１、指示情報制御部６２、動作制御部６３、設定保持部６４、及び状態情報保持部６５を有する。
【００６２】
通信制御部６１は、連動して動作する各装置との通信を制御する。
【００６３】
指示情報制御部６２は、例えば、プロジェクタ２から受信した動作指示にしたがって、ブラインドの動作を制御するよう動作制御部６３に指示する。
【００６４】
動作制御部６３は、受信した動作指示に基づいて、自装置の動作を制御する。例えば、プロジェクタ２から投影可能状態への移行指示を受信した場合、ブラインド６は、遮光状態へ移行する動作を実行する。また、動作制御部６３は、設定保持部６４に保持されている連携機能の設定に基づいて、動作指示に従って動作するか否かを判断する。
【００６５】
設定保持部６４は、連携機能に関する情報を管理する。設定保持部６４は、連携機能に関する設定を変更した場合、連携機能に関する設定の変更を、連携して動作する各装置に通知する。また、設定保持部６４は、他の装置から連携機能に関する設定情報の変更を受信した場合、連携機能の設定情報を更新する。
【００６６】
状態情報保持部６５は、自装置の状態を保持する。ブラインド６の状態とは、例えば、光を遮光するルーバの角度などである。また、状態情報保持部６５は、例えば、遮光状態へ移行する前のブラインド６の状態を保存する。ブラインド６が自装置の状態を保存することで、ブラインド６は、プロジェクタ２による映像の投影終了後に、投影可能状態から投影を行う前の状態に移行させることができる。
【００６７】
上述した構成を有することにより、連携する各装置を投影可能な状態へ移行させることができる。その結果、ユーザは、煩雑な動作を行うことなく、プロジェクタを利用できる環境を整えることができる。
【００６８】
＜処理動作＞
図５は、照明スイッチがオンされてから、連携して動作する装置の各々が投影可能な状態になるまでの流れを示すシーケンス図である。
【００６９】
ステップＳ１で、ユーザは照明スイッチ３をオンする。
【００７０】
ステップＳ２で、照明スイッチ３は、照明装置４に対して点灯指示を送信する。
【００７１】
ステップＳ３で、照明スイッチ３は、プロジェクタ２に対して、電力状態を省エネ効果が高い状態から省エネ状態が低い状態へ移行させる指示を送信する。
【００７２】
ステップＳ４で、照明装置４は、照明スイッチ３からの指示にしたがって、全照明を点灯させる。
【００７３】
ステップＳ５で、プロジェクタ２は、照明スイッチ３からの指示にしたがって、電力状態を省エネ効果が高い状態から省エネ状態が低い状態へ移行させる。
【００７４】
ステップＳ６で、ユーザは、プロジェクタ２を投影可能な状態へ移行させる操作を行う。
【００７５】
ステップＳ７で、プロジェクタ２は、電力状態を、省エネ効果が低い状態から映像を投影可能な状態へ移行させる。
【００７６】
ステップＳ８で、プロジェクタ２は、格納式スクリーン５に対して、投影可能な状態へ移行するように指示する。
【００７７】
ステップＳ９で、プロジェクタ２は、ブラインド６に対して、遮光状態へ移行するように指示する。
【００７８】
ステップＳ１０で、プロジェクタ２は、照明装置４に対して、スクリーン側の照明を消灯するように指示する。
【００７９】
ステップＳ１１で、格納式スクリーン５は、プロジェクタ２からの指示にしたがって、スクリーンを引出し、映像を投影可能な状態へ移行する。
【００８０】
ステップＳ１２で、ブラインド６は、プロジェクタ２からの指示にしたがって、遮光状態へ移行する。
【００８１】
ステップＳ１３で、照明装置４は、プロジェクタ２からの指示にしたがって、スクリーン側の照明を消灯する。
【００８２】
図６は、照明スイッチがオフされ、各装置の状態が変更される流れを示すシーケンス図である。
【００８３】
ステップＳ２０で、照明スイッチ３がオフされる。
【００８４】
ステップＳ２１で、照明スイッチ３は、照明装置４に対して、全照明を消灯するように指示する。
【００８５】
ステップＳ２２で、照明スイッチ３は、プロジェクタ２に対して、映像を投影可能な状態から省エネ効果が高い状態へ移行するよう指示する。
【００８６】
ステップＳ２３で、プロジェクタ２は、格納式スクリーン５に対して、スクリーンを収納するように指示する。
【００８７】
ステップＳ２４で、プロジェクタ２は、ブラインド６に対して、プロジェクタ２が保持しているブラインド６の状態に関する情報にしたがって、ブラインド６に状態の移行を指示する。ブラインド６の状態に関する情報は、例えば、プロジェクタ２の指示にしたがって遮光状態へ移行する前の状態である。
【００８８】
ステップＳ２５で、照明装置４は、プロジェクタ２からの指示にしたがって、全照明を消灯する。
【００８９】
ステップＳ２６で、プロジェクタ２は、プロジェクタ２からの指示にしたがって、電力状態を投影可能な状態から省エネ効果が高い状態へ移行する。
【００９０】
ステップＳ２７で、格納式スクリーン５は、プロジェクタ２からの指示にしたがって、スクリーンを格納した状態へ移行する。
【００９１】
ステップＳ２８で、ブラインド６は、例えば、遮光状態へ移行する前の状態に移行する。
【００９２】
図７は、プロジェクタ２の電力状態を投影可能な状態から省エネ効果が低い状態に切り替えた場合における、各装置の状態が移行する流れを示すシーケンス図である。
【００９３】
ステップＳ３０で、プロジェクタ２は、プロジェクタ２の電力状態を投影可能な状態から省エネ効果が低い状態へ移行させる操作をユーザから受け付ける。
【００９４】
ステップＳ３１で、プロジェクタ２は、格納式スクリーン５に対して、スクリーンを収納するように指示する。
【００９５】
ステップＳ３２で、プロジェクタ２は、例えば、ブラインド６に対して、プロジェクタ２が保持しているブラインド６の状態に関する情報にしたがって、ブラインド６に遮光状態へ移行する前の状態へ移行するよう指示する。
【００９６】
ステップＳ３３で、プロジェクタ２は、照明装置４に対して、スクリーン側の照明を点灯するように指示する。
【００９７】
ステップＳ３４で、格納式スクリーン５は、スクリーンを格納する。
【００９８】
ステップＳ３５で、ブラインド６は、プロジェクタ２から指示された状態へ移行する。
【００９９】
ステップＳ３６で、照明装置４は、スクリーン側の照明を点灯させる。
【０１００】
ステップＳ３７で、プロジェクタ２は、照明装置４、格納式スクリーン５、ブラインド６への動作指示を送信後、電力状態を投影可能な状態から省エネ効果が低い状態へ移行させる。
【０１０１】
図８は、プロジェクタ２が、各装置へ状態の移行指示を送信する流れを示すシーケンス図である。
【０１０２】
ステップＳ４０で、照明スイッチ３がオンされる。
【０１０３】
ステップＳ４１で、照明スイッチ３は、プロジェクタ２に対して、省エネ効果が高い状態から省エネ効果が低い状態へ電力状態を切り替える動作指示を、送信する。
【０１０４】
ステップＳ４２で、通信制御部２１は、照明スイッチ３から受信した動作指示を、指示情報制御部２２に送信する。
【０１０５】
ステップＳ４３で、指示情報制御部２２は、動作指示に基づいて、電力状態を省エネ効果が低い状態へ移行させるように動作制御部２３へ要求する。
【０１０６】
ステップＳ４４で、動作制御部２３は、設定保持部２４から連携機能の設定情報を取得する。
【０１０７】
ステップＳ４５で、プロジェクタ２の連携機能の設定が有効である場合、動作制御部２３は、電力状態を省エネ効果が高い状態から省エネ効果が低い状態へ移行させる。
【０１０８】
図９は、プロジェクタが投影可能状態へ移行した場合における、プロジェクタ２による各装置への動作指示の生成、送信の流れを示すシーケンス図である。
【０１０９】
ステップＳ５０で、ユーザが、プロジェクタ２に対して、投影可能な状態へ移行させる操作を行う。
【０１１０】
ステップＳ５１で、動作制御部２３は、連携機能の設定情報を取得する。動作制御部２３は、取得した連携機能の設定情報から、プロジェクタ２の連携機能が有効であるか否かを確認する。
【０１１１】
ステップＳ５２で、動作制御部２３は、電力状態を省エネ効果が低い状態から映像を投影可能な状態へ移行させる。
【０１１２】
ステップＳ５３で、動作制御部２３は、格納式スクリーン５の連携設定の設定情報を取得する。
【０１１３】
ステップＳ５４で、格納式スクリーン５の連携設定が有効である場合、動作制御部２３は、格納式スクリーン５に対する動作指示の生成を指示情報制御部２２に要求する。この時は、動作制御部２３は、投影可能な状態へ移行する指示の生成を指示情報制御部２２に要求する。その後、指示情報制御部２２は、格納式スクリーン５に対する動作指示を生成する。
【０１１４】
ステップＳ５５で、指示情報制御部２２は、生成した動作指示を格納式スクリーン５に送信するように通信制御部２１に要求する。
【０１１５】
ステップＳ５６で、通信制御部２１は、格納式スクリーン５に対して動作指示を送信する。
【０１１６】
ステップＳ５７で、格納式スクリーン５は、プロジェクタ２から受信した動作指示にしたがって、投影可能な状態へ移行する。すなわち、格納式スクリーン５は、スクリーンを引出す動作を実行する。
【０１１７】
ステップＳ５８で、動作制御部２３は、照明装置４の連携設定の設定情報を取得する。
【０１１８】
ステップＳ５９で、照明装置４の連携設定が有効である場合、動作制御部２３は、照明装置４にスクリーン側の照明を消灯させる動作指示の生成を、指示情報制御部２２に要求する。その後、指示情報制御部２２は、照明装置４に対する動作指示を生成する。
【０１１９】
ステップＳ６０で、指示情報制御部２２は、生成した動作指示を照明装置４に送信するように通信制御部２１に要求する。
【０１２０】
ステップＳ６１で、通信制御部２１は、照明装置４に対して動作指示を送信する。
【０１２１】
ステップＳ６２で、照明装置４は、受信した動作指示にしたがって、スクリーンの側の照明を消灯する。
【０１２２】
ステップＳ６３で、動作制御部２３は、ブラインド６の連携設定の設定情報を取得する。
【０１２３】
ステップＳ６４で、ブラインド６の連携設定が有効である場合、動作制御部２３は、ブラインド６に対する動作指示の生成を指示情報制御部２２に要求する。その後、指示情報制御部２２は、ブラインド６に対する動作指示を生成する。
【０１２４】
ステップＳ６５で、指示情報制御部２２は、生成した動作指示をブラインド６に送信するように通信制御部２１に要求する。
【０１２５】
ステップＳ６６で、通信制御部２１は、ブラインド６に対して動作指示を送信する。
【０１２６】
ステップＳ６７で、通信制御部２１は、例えば、遮光状態へ移行する前のブラインド６の状態に関する情報をプロジェクタ２から受信する。遮光状態へ移行する前のブラインド６の状態に関する情報は、プロジェクタ２による投影が終了した後に、指示情報制御部２２がブラインド６の状態を遮光状態に移行する前の状態に移行させる指示を生成するために用いられる。
【０１２７】
ステップＳ６８で、通信制御部２１は、ブラインド６から受信したブラインドの状態を示す情報を指示情報制御部２２に送信する。
【０１２８】
ステップＳ６９で、指示情報制御部２２は、通信制御部２１から受信したブラインド６の状態に関する情報を保存するように、状態情報保持部２５に要求する。状態情報保持部２５は、ブラインド６の状態に関する情報を保存する。
【０１２９】
ステップＳ７０で、ブラインド６は、受信した動作指示にしたがって、遮光状態へ移行する。
【０１３０】
図１０は、照明スイッチがオフされた場合における、プロジェクタによる各装置への動作指示の生成、送信の流れを示すシーケンス図である。
【０１３１】
ステップＳ７１で、照明スイッチ３がオフされる。
【０１３２】
ステップＳ７２で、照明スイッチ３は、プロジェクタ２に対して、電力状態を投影可能な状態から省エネ効果が高い状態へ移行するように指示する。
【０１３３】
ステップＳ７３で、通信制御部２１は、照明スイッチ３から受信した動作指示を、指示情報制御部２２に送信する。
【０１３４】
ステップＳ７４で、指示情報制御部２２は、動作指示に基づいて、電力状態を省エネ効果が低い状態へ移行させるように動作制御部２３へ要求する。
【０１３５】
ステップＳ７５で、動作制御部２３は、設定保持部２４から連携機能の設定情報を取得する。
【０１３６】
ステップＳ７６で、動作制御部２３は、格納式スクリーン５の連携設定の設定情報を取得する。
【０１３７】
ステップＳ７７で、格納式スクリーン５の連携設定が有効である場合、動作制御部２３は、格納式スクリーン５にスクリーンを収納させる動作指示の生成を指示情報制御部２２に要求する。その後、指示情報制御部２２は、格納式スクリーン５に対する動作指示を生成する。
【０１３８】
ステップＳ７８で、指示情報制御部２２は、生成した動作指示を格納式スクリーン５に送信するように通信制御部２１に要求する。
【０１３９】
ステップＳ７９で、通信制御部２１は、格納式スクリーン５に対して動作指示を送信する。
【０１４０】
ステップＳ８０で、格納式スクリーン５は、プロジェクタ２から受信した動作指示にしたがって、スクリーンを収納した状態へ移行する。
【０１４１】
ステップＳ８１で、動作制御部２３は、ブラインド６の連携設定の設定情報を取得する。
【０１４２】
ステップＳ８２で、動作制御部２３は、ブラインド６に対する動作指示を生成するため、状態情報保持部２５からブラインド６が遮光状態へ移行する前の状態を示す情報を取得する。
【０１４３】
ステップＳ８３で、ブラインド６の連携機能が有効である場合、動作制御部２３は、状態情報保持部２５に保持されているブラインド６の状態にブラインドの状態を移行させる動作指示の生成を指示情報制御部２２に要求する。その後、指示情報制御部２２は、ブラインド６に対する動作指示を生成する。
【０１４４】
ステップＳ８４で、指示情報制御部２２は、生成した動作指示をブラインド６に送信するように通信制御部２１に要求する。
【０１４５】
ステップＳ８５で、通信制御部２１は、ブラインド６に対して動作指示を送信する。
【０１４６】
ステップＳ８６で、ブラインド６は、受信した動作指示にしたがって、ブラインド６の状態を変更する。
【０１４７】
ステップＳ８７で、プロジェクタ２の連携機能の設定が有効である場合、動作制御部２３は、電力状態を投影可能な状態から省エネ効果が高い状態へ移行させる。
【０１４８】
ステップＳ８８で、照明スイッチ３は、全照明を消灯するように照明装置４へ要求する。
【０１４９】
ステップＳ８９で、照明装置４は、全照明を消灯する。
【０１５０】
図１１は、プロジェクタと連携して動作する装置において、指示にしたがって各装置の状態を移行させる流れを示すシーケンス図である。図１１を用いて、照明装置４が実行する処理の流れを説明する。
【０１５１】
ステップＳ９０で、照明装置４は、プロジェクタ２から動作指示を受信する。
【０１５２】
ステップＳ９１で、通信制御部４１は、プロジェクタ２から受信した動作指示を指示情報制御部４２に送信する。
【０１５３】
ステップＳ９２で、指示情報制御部４２は、動作制御部４３に動作指示を送信する。
【０１５４】
ステップＳ９３で、動作制御部４３は、プロジェクタ２の連携機能の設定情報を設定保持部４４から取得する。
【０１５５】
ステップＳ９４で、プロジェクタ２の連携機能が有効である場合、動作制御部４３は、照明装置４の連携機能の設定を設定保持部４４から取得する。
【０１５６】
ステップＳ９５で、照明装置４の連携機能が有効である場合、状態情報保持部４５は、動作指示を受信した時点での照明装置の状態を保存する。
【０１５７】
ステップＳ９６で、動作制御部４３は、動作指示にしたがって、照明装置４の動作を制御する。
【０１５８】
以上、照明装置４が実行する処理の流れを説明したが、格納式スクリーン５及びブラインド６も、プロジェクタ２から動作指示を受信した場合、照明装置４と同様の流れで処理を実行する。
【０１５９】
図１２は、照明スイッチが連携して動作する各装置へ動作指示を送信する流れを示すシーケンス図である。
【０１６０】
ステップＳ１００で、照明スイッチ３がオンされる。
【０１６１】
ステップＳ１０１で、照明スイッチ３は、スクリーン側の照明以外の点灯を照明装置４へ指示する。
【０１６２】
ステップＳ１０２で、照明スイッチ３は、プロジェクタ２に対して、電力状態を省エネ効果が低い状態から、映像を投影可能な状態へ移行させる指示を送信する。
【０１６３】
ステップＳ１０３で、照明スイッチ３は、格納式スクリーン５に対して、投影可能な状態へ移行するように指示する。
【０１６４】
ステップＳ１０４で、照明スイッチ３は、ブラインド６に対して、遮光状態へ移行するように指示する。
【０１６５】
ステップＳ１０５で、照明装置４は、スクリーン側の照明以外の照明を点灯させる。
【０１６６】
ステップＳ１０６で、プロジェクタ２は、電力状態を省エネ効果が高い状態から映像を投影可能な状態へ移行させる。
【０１６７】
ステップＳ１０７で、格納式スクリーン５は、スクリーンを引出し、映像を投影可能な状態へ移行する。
【０１６８】
ステップＳ１０８で、ブラインド６は、遮光状態へ移行する。
【０１６９】
図１３は、照明スイッチにおける、動作指示を送信する処理の手順例を示すフローチャートである。
【０１７０】
ステップＳ１１１で、照明スイッチ３がユーザによってオンされる。
【０１７１】
ステップＳ１１２で、照明スイッチ３の連携機能設定が、全装置を投影可能な状態へ移行させる設定なのか、プロジェクタ２及び照明装置４にのみ動作指示を生成する設定なのかが判定される。連携機能の設定が全装置を投影可能な状態へ移行させる設定の場合、ステップＳ１１５に進む。連携機能の設定が、プロジェクタ２及び照明装置４にのみ動作指示を生成する設定設定の場合、ステップＳ１１３へ進む。
【０１７２】
ステップＳ１１３で、全照明を点灯させる指示が照明装置４に送信される。
【０１７３】
ステップＳ１１４で、プロジェクタ２の電力状態を省エネ効果が高い状態から省エネ効果が低い情報へ移行させる指示がプロジェクタ２に送信される。その後、当該処理が終了する。
【０１７４】
ステップＳ１１５で、スクリーン側の照明以外の照明を点灯させる指示が、照明装置４に送信される。
【０１７５】
ステップＳ１１６で、プロジェクタ２の電力状態を省エネ効果が高い状態から投影可能状態へ移行させる指示がプロジェクタ２に送信される。
【０１７６】
ステップＳ１１７で、投影可能状態への移行指示が、格納式スクリーン５及びブラインド６に送信される。その後、当該処理が終了する。
【０１７７】
図１４は、プロジェクタ２における、プロジェクタ２の連携機能の設定内容にしたがって、動作指示を送信する処理の手順例を示すフローチャートである。
【０１７８】
ステップＳ１２１で、照明スイッチ３からプロジェクタ２の電力状態の切り替えを指示する動作指示が、通信制御部２１によって、受信される。
【０１７９】
ステップＳ１２２で、プロジェクタ２の連携機能に関する設定内容が、設定保持部２４から取得される。
【０１８０】
ステップＳ１２３で、連携機能の設定が有効になっているか否かが判定される。判定結果がＹＥＳの場合、すなわち連携機能の設定が有効になっている場合、ステップＳ１２４に進む。判定結果がＮＯの場合、すなわち連携機能の設定が無効になっている場合、当該処理は終了する。
【０１８１】
ステップＳ１２４で、照明装置４、格納式スクリーン５、又はブラインド６に対する動作指示が、生成される。その後、各装置に動作指示が送信され、当該処理は終了する。
【０１８２】
図１５は、プロジェクタ２における、連携して動作する各装置の連携機能の設定内容にしたがって、動作指示を送信する処理の手順例を示すフローチャートである。
【０１８３】
ステップＳ１３１で、プロジェクタ２の電力状態の切り替えを指示する動作指示が、受信される。プロジェクタ２の電力状態が、投影可能状態へ移行される。
【０１８４】
ステップＳ１３２で、連携して動作する各装置の連携機能の設定内容を、設定保持部２４から取得される。
【０１８５】
ステップＳ１３３で、照明装置４の連携機能の設定が有効か否かが判定される。判定結果がＹＥＳの場合、すなわち照明装置４の連携機能の設定が有効である場合、ステップＳ１３４へ進む。判定結果がＮＯの場合、すなわち照明装置４の連携機能の設定が有効でない場合、ステップＳ１３９に進む。
【０１８６】
ステップＳ１３４で、照明装置４に対する動作指示が生成され、動作指示が照明装置４へ送信される。
【０１８７】
ステップＳ１３５で、格納式スクリーン５の連携機能の設定が有効か否かが判定される。判定結果がＹＥＳの場合、すなわち格納式スクリーン５の連携機能の設定が有効である場合、ステップＳ１３６へ進む。判定結果がＮＯの場合、すなわち格納式スクリーン５の連携機能の設定が有効でない場合、ステップＳ１３８に進む。
【０１８８】
ステップＳ１３６で、格納式スクリーン５に対する動作指示が生成され、動作指示が格納式スクリーン５へ送信される。
【０１８９】
ステップＳ１３７で、ブラインド６の連携機能の設定が有効か否かが判定される。判定結果がＹＥＳの場合、すなわちブラインド６の連携機能の設定が有効である場合、ステップＳ１３８へ進む。判定結果がＮＯの場合、すなわちブラインド６の連携機能の設定が有効でない場合、ステップＳ１３９に進む。
【０１９０】
ステップＳ１３８で、ブラインド６に対する動作指示が生成され、動作指示が格納式スクリーン５へ送信される。
【０１９１】
［実施例２］
実施例２では、プロジェクタ２が照度計測部２６を有する構成について説明する。実施例２では、実施例１と異なる事項について説明を行い、同じ事項は、同一の参照符号を付し、その説明を省略する。
【０１９２】
＜機能構成＞
図１６は、実施例２における画像投影システム１の機能構成例を示す図である。
【０１９３】
≪プロジェクタ≫
照度計測部２６は、プロジェクタ２が備えられている場所の照度を計測する。
【０１９４】
指示情報制御部２２は、照度計測部２６の照度の計測結果に基づいて、プロジェクタ２が設置されている場所の環境の変化を検知する。指示情報制御部２２は、検知した環境の変化を動作制御部２３に通知する。
【０１９５】
動作制御部２３は、指示情報制御部２２が検知したプロジェクタ２の設置場所の照度の変化に基づいて、連携して動作する各装置に指示する動作を決定する。例えば、照度が閾値を超えている場合、動作制御部２３は、照明装置４又はブラインド６に対して照度を下げるような動作を指示する。
【０１９６】
上述した構成を有することにより、照度の状態に応じて、プロジェクタ２は連携する他の装置を制御できる。これにより、ユーザは、プロジェクタ２が利用できる環境を容易に整えることができる。
【０１９７】
＜処理動作＞
図１７は、プロジェクタ２における、照度の計測結果に応じて照明装置４へ動作指示を送信する処理の手順例を示すフローチャートである。
【０１９８】
ステップＳ１４１で、照明装置４、格納式スクリーン５、及びブラインド６に対して、投影可能な状態への移行を指示する動作指示が送信される。その後、照明装置４、格納式スクリーン５、及びブラインド６は、投影可能な状態へ移行する。
【０１９９】
ステップＳ１４２で、照度が、照度計測部２６によって、計測される。計測結果が、指示情報制御部２２に通知される。
【０２００】
ステップＳ１４３で、照度の計測結果が閾値を超えているか否かが判定される。判定結果がＹＥＳの場合、すなわち、閾値を超えている場合、ステップＳ１４４へ進む。判定結果がＮＯの場合、すなわち、閾値を超えていない場合、ステップＳ１４５へ進み、当該処理は終了する。
【０２０１】
ステップＳ１４４で、指示情報制御部２２によってプロジェクタ２の設置されている場所の照度が高くなったことが検知され、一部の照明の消灯を指示する動作指示が、照明装置４に送信される。
【０２０２】
［実施例３］
実施例３では、格納式スクリーン５が照度計測部５６を有する構成について説明する。実施例３では、実施例１と異なる事項について説明を行い、同じ事項は、同一の参照符号を付し、その説明を省略する。
【０２０３】
＜機能構成＞
図１８は、実施例３における画像投影システム１の機能構成例を示す図である。
【０２０４】
≪格納式スクリーン≫
照度計測部５６は、スクリーン周辺の照度を計測する。照度計測部５６は、計測した結果を通信制御部５１を介して、プロジェクタ２へ送信する。
【０２０５】
≪プロジェクタ≫
通信制御部２１は、格納式スクリーン５から照度の計測結果を受信する。
【０２０６】
指示情報制御部２２は、格納式スクリーン５から照度の計測結果に基づいて、格納式スクリーン５が設置されている環境の変化を検知する。指示情報制御部２２は、検知した環境の変化を動作制御部２３に通知する。
【０２０７】
動作制御部２３は、指示情報制御部２２が検知した格納式スクリーン５の設置場所の照度の変化に基づいて、連携して動作する各装置に指示する動作を決定する。例えば、照度が閾値を超えている場合、動作制御部２３は、照明装置４又はブラインド６に対して照度を下げるような動作を指示する。
【０２０８】
上述した構成を有することにより、照度の状態に応じて、プロジェクタ２は連携する他の装置を制御できる。これにより、ユーザは、プロジェクタ２が利用できる環境を容易に整えることができる。
【０２０９】
＜処理動作＞
図１９は、プロジェクタ２における、格納式スクリーン５から受信した照度の計測結果に応じて、照明装置４への動作指示を送信する処理の手順例を示すフローチャートである。
【０２１０】
ステップＳ１５１で、照明装置４、格納式スクリーン５、及びブラインド６に対して、動作指示が送信される。
【０２１１】
ステップＳ１５２で、照度の計測結果が、格納式スクリーン５から受信される。
【０２１２】
ステップＳ１５３で、格納式スクリーン５から受信した照度の計測結果が、閾値を超えているか否かが判定される。判定結果がＹＥＳの場合、すなわち、閾値を超えている場合、ステップＳ１５４へ進む。判定結果がＮＯの場合、すなわち、閾値を超えていない場合、ステップＳ１５５へ進み、当該処理は終了する。
【０２１３】
ステップＳ１５４で、指示情報制御部２２によってプロジェクタ２の設置場所の照度が高くなったことが検知され、一部の照明の消灯を指示する動作指示が、照明装置４に送信される。
【０２１４】
［実施例４］
実施例４では、照明スイッチ３に替わって人感センサ７を有する構成について説明する。実施例３では、実施例１と異なる事項について説明を行い、同じ事項は、同一の参照符号を付し、その説明を省略する。
【０２１５】
＜機能構成＞
図２０は、実施例４における画像投影システム１の機能構成例を示す図である。
【０２１６】
≪人感センサ≫
人感センサ７は、通信制御部７１、指示情報制御部７２、設定保持部７３、及び人感検知部７４を有する。
【０２１７】
通信制御部７１は、連携して動作する各装置との通信を制御する。
【０２１８】
指示情報制御部７２は、人感検知部７４による人の検知結果に基づいて、連携して動作する各装置への動作指示を生成する。指示情報制御部７２による動作指示の生成は、設定保持部７３に保持されている設定情報に基づいて、行われる。
【０２１９】
設定保持部７３は、図４で示した連携機能の設定情報を管理する。設定保持部７３は、プロジェクタ２から連携機能の設定情報を受信した場合、連携機能の設定を更新する。
【０２２０】
人感検知部７４は、人が存在するか否かを検知する。
【０２２１】
上述した構成を有することにより、人の存在の有無に応じて、プロジェクタ２は連携する他の装置を制御できる。これにより、ユーザはプロジェクタ２が利用できる環境を容易に整えることができる。
【０２２２】
＜処理動作＞
図２１は、人感センサ７が人を検知した場合における、各装置が映像を投影可能な状態へ移行する流れを示すシーケンス図である。
【０２２３】
ステップＳ１６０で、人感センサ７は、プロジェクタ２の設置場所に人が存在することを、検知する。
【０２２４】
ステップＳ１６１で、人感センサ７は、照明装置４に対して点灯指示を送信する。
【０２２５】
ステップＳ１６２で、人感センサ７は、プロジェクタ２に対して、電力状態を省エネ効果が高い状態から省エネ状態が低い状態へ移行させる指示を送信する。
【０２２６】
ステップＳ１６３で、照明装置４は、人感センサ７の指示にしたがって、全照明を点灯させる。
【０２２７】
ステップＳ１６４で、プロジェクタ２は、電力状態を省エネ効果が高い状態から省エネ状態が低い状態へ移行させる。
【０２２８】
ステップＳ１６５で、ユーザは、プロジェクタ２を投影可能な状態へ移行させる操作を行う。
【０２２９】
ステップＳ１６６で、プロジェクタ２は、電力状態を、省エネ効果が低い状態から映像を投影可能な状態へ移行させる。
【０２３０】
ステップＳ１６７で、プロジェクタ２は、格納式スクリーン５に対して、投影可能な状態へ移行するように指示する。
【０２３１】
ステップＳ１６８で、プロジェクタ２は、ブラインド６に対して、遮光状態へ移行するように指示する。
【０２３２】
ステップＳ１６９で、プロジェクタ２は、照明装置４に対して、スクリーン側の照明を消灯するように指示する。
【０２３３】
ステップＳ１７０で、格納式スクリーン５は、プロジェクタ２から受信した指示にしたがって、スクリーンを引出し、映像を投影可能な状態へ移行する。
【０２３４】
ステップＳ１７１で、ブラインド６は、プロジェクタ２から受信した指示にしたがって、遮光状態へ移行する。
【０２３５】
ステップＳ１７２で、照明装置４は、プロジェクタ２からの指示にしたがって、スクリーン側の照明を消灯する。
【０２３６】
図２２は、人感センサが人の不在を検知した場合における、各装置の動作の流れを示すシーケンス図である。
【０２３７】
ステップＳ１８０で、人感センサ７は、プロジェクタ２の設置場所に人が存在しないことを検知する。
【０２３８】
ステップＳ１８１で、人感センサ７は、照明装置４に対して、全照明を消灯するように指示する。
【０２３９】
ステップＳ１８２で、人感センサ７は、プロジェクタ２に対して、映像を投影可能な状態から省エネ効果が高い状態へ移行するよう指示する。プロジェクタ２は、人感センサ７からの指示に基づいて、人が不在になったことによるプロジェクタ２の設置場所の環境の変化を検知する。プロジェクタ２は、検知した環境の変化に基づいて、照明装置４、格納式スクリーン５、ブラインド６に対して動作指示を生成する。
【０２４０】
ステップＳ１８３で、プロジェクタ２は、格納式スクリーン５に対して、スクリーンを収納するように指示する。
【０２４１】
ステップＳ１８４で、プロジェクタ２は、ブラインド６に対して、例えば、遮光状態へ移行する前の状態に移行するように指示する。
【０２４２】
ステップＳ１８５で、照明装置４は、全照明を消灯する。
【０２４３】
ステップＳ１８６で、プロジェクタ２は、電力状態を投影可能な状態から省エネ効果が高い状態へ移行する。
【０２４４】
ステップＳ１８７で、格納式スクリーン５は、スクリーンを格納した状態へ移行する。
【０２４５】
ステップＳ１８８で、ブラインド６は、例えば、遮光状態へ移行する前の状態に移行する。
【０２４６】
なお、上述の実施例の全部又は一部はプログラムによって実装され得る。このプログラムは、可搬記録媒体に格納することができる。可搬記録媒体とは、非一時的（non-transitory）な記憶媒体を言う。可搬記録媒体の例としては、磁気記録媒体、光ディスク、光磁気記録媒体、不揮発性メモリなどがある。可搬記録媒体に格納されたプログラムが読み出され、プロセッサによって実行されることにより、本発明の実施例の全部又は一部が実施され得る。
【０２４７】
＜総括＞
以上、本発明の好適な実施の形態は、本発明の範囲を限定するものではない。特許請求の範囲に定義された本発明はその広範な趣旨および範囲から逸脱することなく、様々な修正および変更を加えることができることは明らかである。すなわち、具体例の詳細および添付の図面により本発明が限定されるものと解釈してはならない。
【符号の説明】
【０２４８】
１      画像投影システム
２      プロジェクタ
３      照明スイッチ
４      照明装置
５      格納式スクリーン
６      ブラインド
７      人感センサ
２１    通信制御部
２２    指示情報制御部
２３    動作制御部
２４    設定保持部
２５    状態情報保持部
２６    照度計測部
２０１  ＲＡＭ
２０２  ＣＰＵ
２０３  フラッシュメモリ
２０４  通信Ｉ／Ｆ
２０５  ＥＥＰＲＯＭ
２０６  操作部
２０７  映像入力部
２０８  映像出力部
２０９  ランプ
【先行技術文献】
【特許文献】
【０２４９】
【特許文献１】特開２０１０−１３４０４１号公報
【図１】
2016032205.tif 000003
【図２】
2016032205.tif 000004
【図３】
2016032205.tif 000005
【図４】
2016032205.tif 000006
【図５】
2016032205.tif 000007
【図６】
2016032205.tif 000008
【図７】
2016032205.tif 000009
【図８】
2016032205.tif 000010
【図９】
2016032205.tif 000011
【図１０】
2016032205.tif 000012
【図１１】
2016032205.tif 000013
【図１２】
2016032205.tif 000014
【図１３】
2016032205.tif 000015
【図１４】
2016032205.tif 000016
【図１５】
2016032205.tif 000017
【図１６】
2016032205.tif 000018
【図１７】
2016032205.tif 000019
【図１８】
2016032205.tif 000020
【図１９】
2016032205.tif 000021
【図２０】
2016032205.tif 000022
【図２１】
2016032205.tif 000023
【図２２】
2016032205.tif 000024